(57)【要約】  【課題】カメラ付きドアホンに対応していない電話端末において、カメラ付きドアホンからの着信応答前に、カメラ付きドアホンの呼び出しボタンを押した訪問者の映像を確認できるようにする。  【解決手段】無線電話端末２は、カメラ付きドアホン３からの着信を受信すると、カメラ付きドアホン３の呼び出しボタンを押した訪問者の映像データを取得し、取得した映像データからカメラ付きドアホン３用の着信画面データを生成してカメラ付きドアホン３の内線番号に対応付けて記憶する。それから、無線電話端末２は、カメラ付きドアホン３の内線番号に対応付けられて記憶されている着信画面データに従い着信画面を表示して、カメラ付きドアホン３からの着信を知らせる。【選択図】図１
2020205486.tif 000002
【特許請求の範囲】
【請求項１】
カメラ付きドアホンを収容する主装置に収容されて、内線端末として機能する電話端末であって、
前記カメラ付きドアホンを発信元とする着信を前記主装置から受信した場合に、当該カメラ付きドアホンが撮像している訪問者の映像データを取得する映像データ取得手段と、
前記映像データ取得手段により取得された前記訪問者の映像データを、着信画面データとして、前記カメラ付きドアホンの番号情報に対応付けて記憶する着信画面データ記憶手段と、
前記主装置から着信を受信した場合に、当該着信の発信元の番号情報に対応付けられて前記着信画面データ記憶手段に記憶されている前記着信画面データを読み出し、当該読み出した前記着信画面データに従い着信画面を表示して、当該着信を知らせる着信表示手段と、を備える
ことを特徴とする電話端末。
【請求項２】
請求項１に記載の電話端末であって、
前記映像データ取得手段により取得された前記訪問者の映像データから前記着信画面データを生成する着信画面データ生成手段をさらに備え、
前記着信画面データ記憶手段は、
前記着信画面データ生成手段により生成された前記着信画面データを、前記カメラ付きドアホンの番号情報に対応付けて記憶する
ことを特徴とする電話端末。
【請求項３】
請求項２に記載の電話端末であって、
前記訪問者の映像データは、ストリーミングデータであり、
前記着信画面データ生成手段は、
前記映像データ取得手段により取得された前記訪問者の映像データから静止画データをキャプチャして、前記着信画面データを生成する
ことを特徴とする電話端末。
【請求項４】
請求項３に記載の電話端末であって、
前記着信画面データ生成手段は、
定期的に、前記映像データ取得手段により取得された前記訪問者の映像データから静止画データをキャプチャして、当該キャプチャした最新の前記静止画データを前記着信画面データとし、
前記着信画面データ記憶手段は、
前記着信画面データ生成手段によって前記着信画面データが生成される毎に、前記カメラ付きドアホンの番号情報に対応付けられて記憶されている前記着信画面データを、前記着信画面データ生成手段によって生成された最新の前記静止画データに更新し、
前記着信表示手段は、
前記主装置から着信を受信した場合に、当該着信の発信元の番号情報に対応付けられて前記着信画面データ記憶手段に記憶されている前記着信画面データが更新される毎に、当該着信画面データを読み出して表示中の前記着信画面を更新する
ことを特徴とする電話端末。
【請求項５】
請求項３に記載の電話端末であって、
前記着信画面データ生成手段は、
定期的に、前記映像データ取得手段により取得された前記訪問者の映像データから静止画データをキャプチャするとともに、これまでにキャプチャした複数の前記静止画データに基づいて、前記着信画面データを生成し、
前記着信画面データ記憶手段は、
前記着信画面データ生成手段によって前記着信画面データが生成される毎に、前記カメラ付きドアホンの番号情報に対応付けられて記憶されている前記着信画面データを、前記着信画面データ生成手段によって生成された最新の前記静止画データに更新し、
前記着信表示手段は、
前記主装置から着信を受信した場合に、当該着信の発信元の番号情報に対応付けられて前記着信画面データ記憶手段に記憶されている前記着信画面データが更新される毎に、当該着信画面データを読み出して表示中の前記着信画面を更新する
ことを特徴とする電話端末。
【請求項６】
請求項４または５に記載の電話端末であって、
前記着信表示手段は、
ユーザから所定の操作を受け付けた場合に、表示中の前記着信画面の更新を停止する
ことを特徴とする電話端末。
【請求項７】
請求項１ないし６のいずれか一項に記載の電話端末であって、
前記着信画面データ記憶手段は、
前記カメラ付きドアホンからの着信通知に応答して開始された前記カメラ付きドアホンとの通話が終了した場合、あるいは、前記カメラ付きドアホンからの着信通知に応答することなく所定時間を経過した場合に、前記カメラ付きドアホンの番号情報に対応付けて記憶している前記着信画面データを消去する
ことを特徴とする電話端末。
【請求項８】
請求項１ないし７のいずれか一項に記載の電話端末であって、
前記カメラ付きドアホンからの着信通知に応答することなく所定時間を経過した場合に、前記カメラ付きドアホンの番号情報に対応付けられて前記着信画面データ記憶手段に記憶されている前記着信画面データを含む訪問者情報を記憶する訪問者情報記憶手段と、
ユーザから受け付けた指示に従い、前記訪問者情報記憶手段に記憶されている前記訪問者情報に含まれている前記着信画面データにより特定される前記着信画面を含む訪問者情報を表示する訪問者情報表示手段と、をさらに備える
ことを特徴とする電話端末。
【請求項９】
請求項１に記載に記載の電話端末と、
前記電話端末およびカメラ付きドアホンを収容する主装置と、を有し、
前記主装置は、
前記カメラ付きドアホンから着信を受信した場合に、当該着信を前記電話端末に送信するドアホン着信通知手段と、
前記カメラ付きドアホンから着信を受信した場合に、当該カメラ付きドアホンから撮像中の訪問者の映像データを取得して、前記電話端末に送信するドアホン映像送信手段と、を備える
ことを特徴とする内線電話システム。
【請求項１０】
請求項９に記載の内線電話システムであって、
前記訪問者の映像データは、ストリーミングデータであり、
前記ドアホン映像送信手段は、
定期的に、前記カメラ付きドアホンから取得した前記訪問者の映像データから静止画データをキャプチャして、当該キャプチャした最新の前記静止画データを前記訪問者の映像データとして前記電話端末に送信し、
前記着信画面データ記憶手段は、
前記映像データ取得手段によって前記訪問者の映像データが取得される毎に、前記カメラ付きドアホンの番号情報に対応付けられて記憶されている前記着信画面データを最新の前記訪問者の映像データに更新し、
前記着信表示手段は、
前記主装置から着信を受信した場合に、当該着信の発信元の番号情報に対応付けられて前記着信画面データ記憶手段に記憶されている前記着信画面データが更新される毎に、当該着信画面データを読み出して表示中の前記着信画面を更新する
ことを特徴とする内線電話システム。
【請求項１１】
請求項９に記載の内線電話システムであって、
前記訪問者の映像データは、ストリーミングデータであり、
前記ドアホン映像送信手段は、
定期的に、前記カメラ付きドアホンから取得した前記訪問者の動画データから静止画データをキャプチャするとともに、これまでにキャプチャした複数の前記静止画データに基づいて、前記訪問者の映像データを生成して送信し、
前記着信画面データ記憶手段は、
前記映像データ取得手段によって前記訪問者の映像データが取得される毎に、前記カメラ付きドアホンの番号情報に対応付けられて記憶されている前記着信画面データを、最新の前記訪問者の映像データに更新し、
前記着信表示手段は、
前記主装置から着信を受信した場合に、当該着信の発信元の番号情報に対応付けられて前記着信画面データ記憶手段に記憶されている前記着信画面データが更新される毎に、当該着信画面データを読み出して表示中の前記着信画面を更新する
ことを特徴とする内線電話システム。
【請求項１２】
コンピュータで読み取り可能なプログラムであって、
前記プログラムは、
前記コンピュータを、カメラ付きドアホンを収容する主装置に収容されて、内線端末として機能する電話端末として機能させ、
前記電話端末は、
前記主装置から前記カメラ付きドアホンを発信元とする着信を受信した場合に、当該カメラ付きドアホンが撮像している訪問者の映像データを取得する映像データ取得手段と、
前記映像データ取得手段により取得された前記訪問者の映像データを、着信画面データとして、前記カメラ付きドアホンの番号情報に対応付けて記憶する着信画面データ記憶手段と、
前記主装置から着信を受信した場合に、当該着信の発信元の番号情報に対応付けられて前記着信画面データ記憶手段に記憶されている前記着信画面データを読み出し、当該読み出した前記着信画面データに従い着信画面を表示して、当該着信を知らせる着信表示手段と、を備える
ことを特徴とするコンピュータで読み取り可能なプログラム。
【請求項１３】
電話端末におけるカメラ付きドアホンからの着信通知方法であって、
前記電話端末は、
当該電話端末および前記カメラ付きドアホンを収容する主装置から前記カメラ付きドアホンを発信元とする着信を受信した場合に、
当該カメラ付きドアホンが撮像している訪問者の映像データを取得して、当該訪問者の映像データを、着信画面データとして、前記カメラ付きドアホンの番号情報に対応付けて記憶し、
当該着信の発信元である前記カメラ付きドアホンの番号情報に対応付けられて記憶されている前記着信画面データを読み出し、当該読み出した前記着信画面データに従い着信画面を表示して、当該着信を知らせる
ことを特徴とするカメラ付きドアホンからの着信通知方法。
【発明の詳細な説明】
【技術分野】
【０００１】
本発明は、電話端末のカメラ付きドアホンからの着信通知技術に関する。
【背景技術】
【０００２】
特許文献１には、主装置（構内交換機）経由で転送された着信を受けた無線電話端末（携帯端末）に発信者情報を表示することができる発信者情報表示システムが開示されている。
【０００３】
この発信者情報表示システムにおいて、主装置は、電話機から着信を受けると、この着信の公衆回線網上の無線電話端末への転送に先立って、インターネット経由でこの無線電話端末に発信者番号を通知する。これを受けて、無線電話端末は、通知された発信者番号を主装置の電話番号に対応付けて記憶する。それから、主装置は、電話機からの着信を、公衆回線網経由で無線電話端末に転送する。これを受けて、無線電話端末は、主装置の電話番号に対応付けられて記憶されている発信者番号を表示する。
【先行技術文献】
【特許文献】
【０００４】
【特許文献１】特開２０１２−１３８６８９号公報
【発明の概要】
【発明が解決しようとする課題】
【０００５】
近年、スマートホン、携帯電話機等の無線電話端末を主装置に帰属させることにより、この無線電話端末を内線端末として利用する技術が普及している。無線電話端末を内線端末として利用する内線電話システムに、カメラ付きドアホンを有するドアホンシステムを統合した場合、つぎのような問題が生じる。すなわち、カメラ付きドアホンに対応していない無線電話端末では、カメラ付きドアホンからの着信に応答する前に、カメラ付きドアホンの呼び出しボタンを押した訪問者の映像を確認することができない。
【０００６】
なお、特許文献１に記載の技術を適用することにより、カメラ付きドアホンからの着信応答前の無線電話端末に、その着信がカメラ付きドアホンからのものであることを示す情報（発信者情報）を表示することはできる。しかし、カメラ付きドアホンからの着信応答前に、カメラ付きドアホンの呼び出しボタンを押した訪問者の映像を確認することについて、何ら考慮されていない。
【０００７】
本発明は上記事情に鑑みてなされたものであり、その目的は、カメラ付きドアホンに対応していない電話端末において、カメラ付きドアホンからの着信応答前に、カメラ付きドアホンの呼び出しボタンを押した訪問者の映像を確認できるようにすることにある。
【課題を解決するための手段】
【０００８】
上記課題を解決するために、本発明において、電話端末は、カメラ付きドアホンからの着信を受信すると、このカメラ付きドアホンの呼び出しボタンを押した訪問者の映像データを取得し、取得した映像データを着信画面データとして、このカメラ付きドアホンの番号情報に対応付けて記憶する。それから、電話端末は、このカメラ付きドアホンの番号情報に対応付けて記憶している着信画面データに従い着信画面を表示して、このカメラ付きドアホンからの着信を知らせる。
【０００９】
例えば、本発明の電話端末は、
カメラ付きドアホンを収容する主装置に収容されて、内線端末として機能する電話端末であって、
前記カメラ付きドアホンを発信元とする着信を前記主装置から受信した場合に、当該カメラ付きドアホンが撮像している訪問者の映像データを取得する映像データ取得手段と、
前記映像データ取得手段により取得された前記訪問者の映像データを、着信画面データとして、前記カメラ付きドアホンの番号情報に対応付けて記憶する着信画面データ記憶手段と、
前記主装置から着信を受信した場合に、当該着信の発信元の番号情報に対応付けられて前記着信画面データ記憶手段に記憶されている前記着信画面データを読み出し、当該読み出した前記着信画面データに従い着信画面を表示して、当該着信を知らせる着信表示手段と、を備える。
【発明の効果】
【００１０】
本発明によれば、電話端末は、カメラ付きドアホンからの着信を受信した場合に、カメラ付きドアホンが撮影している訪問者の映像データを取得し、これをカメラ付きドアホンの着信画面データとする。そして、このカメラ付きドアホンの着信画面データに従い着信画面を表示して、カメラ付きドアホンからの着信を知らせる。このため、カメラ付きドアホンに対応していない電話端末でも、カメラ付きドアホンからの着信応答前に、カメラ付きドアホンの呼び出しボタンを押した訪問者の映像を確認することができる。
【図面の簡単な説明】
【００１１】
【図１】図１は、本発明の一実施の形態に係る内線電話システムの概略構成図である。
【図２】図２は、本発明の一実施の形態に係る内線電話システムにおけるドアホンサービスの第一の動作例を説明するためのシーケンス図である。
【図３】図３は、本発明の一実施の形態に係る内線電話システムにおけるドアホンサービスの第一の動作例を説明するためのシーケンス図（図２の続き）である。
【図４】図４は、本発明の一実施の形態に係る内線電話システムにおけるドアホンサービスの第二の動作例を説明するためのシーケンス図である。
【図５】図５は、無線電話端末２の概略機能構成図である。
【図６】図６は、電話帳データ記憶部２０４の登録内容例を模式的に表した図である。
【図７】図７は、不応答着信履歴データ記憶部２０５の登録内容を模式的に表した図である。
【図８】図８は、無線電話端末２のドアホンサービス処理を説明するためのフロー図である。
【図９】図９は、無線電話端末２のドアホンサービス処理を説明するためのフロー図（図８の続き）である。
【図１０】図１０は、着信画面の表示例を示す図である。
【図１１】図１１は、不応答着信履歴の表示例を示す図である。
【図１２】図１２は、着信画面の変形例を示す図である。
【発明を実施するための形態】
【００１２】
以下に、本発明の一実施の形態について説明する。
【００１３】
図１は、本実施の形態に係る内線電話システムの概略構成図である。
【００１４】
本実施の形態に係る内線電話システムは、ドアホンシステムと統合されており、図示するように、ＬＡＮ（Ｌｏｃａｌ  Ａｒｅａ  Ｎｅｔｗｏｒｋ）５およびＷＡＮ（Ｗｉｄｅ  Ａｒｅａ  Ｎｅｔｗｏｒｋ）６に接続された主装置１と、主装置１に収容された複数の無線電話端末２−１〜２−３（以下、単に無線電話端末２とも呼ぶ）およびカメラ付きドアホン３と、を有する。
【００１５】
主装置１は、無線電話端末２に内線電話サービスを提供する。また、主装置１は、カメラ付きドアホン３と連携して、訪問者の到来を無線電話端末２に知らせるドアホンサービスを提供する。
【００１６】
無線電話端末２は、無線アクセスポイント４およびＬＡＮ ５を介して主装置１に接続されており、主装置１が提供する内線電話サービスおよびドアホンサービスを享受する。
【００１７】
カメラ付きドアホン３は、呼び出しボタン、マイク、およびカメラを備えており、ＬＡＮ５を介して接続された主装置１と連携して、無線電話端末２にドアホンサービスを提供する。
【００１８】
図２および図３は、本実施の形態に係る内線電話システムにおけるドアホンサービスの第一の動作例を説明するためのシーケンス図である。
【００１９】
カメラ付きドアホン３は、呼び出しボタンが押下されると（Ｓ１００）、主装置１に接続要求を送信する（Ｓ１０１）。これを受けて、主装置１は、カメラ付きドアホン３に割り当てられた内線番号を発信者番号とする接続要求を無線電話端末２に送信する（Ｓ１０２）。この際、主装置１は、発信元がカメラ付きドアホン３であることを認識し、所定の１以上の無線電話端末２に接続要求を送信してもよいし、あるいは、すべての無線電話端末２に接続要求を送信してもよい。
【００２０】
つぎに、無線電話端末２は、主装置１から接続要求を受信すると、その発信者番号を確認する。そして、発信者番号がカメラ付きドアホン３であるならば、あらかじめ登録されているカメラ付きドアホン３のアドレス情報を用いてカメラ付きドアホン３に映像要求を送信する（Ｓ１０３）。
【００２１】
これを受けて、カメラ付きドアホン３は、カメラで撮影した訪問者の映像データ（ストリーミングデータ）の送信を開始し（Ｓ１０５）、無線電話端末２は、カメラ付きドアホン３から送られてくる訪問者の映像データの受信を開始する（Ｓ１０６）。
【００２２】
つぎに、無線電話端末２は、受信した訪問者の映像データから静止画データを定期的にキャプチャする処理を開始するとともに（Ｓ１０７）、静止画データをキャプチャする毎に、キャプチャした最新の静止画データに基づいて着信画面データを生成する処理を開始する（Ｓ１０８）。さらに、無線電話端末２は、着信画面データを生成する毎に、カメラ付きドアホン３の内線番号に紐付けられている電話帳データに新たに生成した着信画面データを登録・更新する処理を開始する（Ｓ１０９）。
【００２３】
それから、無線電話端末２は、着信鳴動を開始するとともに、接続要求の発信者番号に紐付けられている電話帳データから着信画面データを定期的に読み出して、最新の着信画面データに従い着信画面を表示する（Ｓ１１０）。これにより、無線電話端末２には、カメラ付きドアホン３の呼び出しボタンを押下した訪問者の映像データが着信画面として定期的に自動更新されながら表示される。
【００２４】
つぎに、無線電話端末２は、着信画面を表示中にタッチパネルがタップされる等、ユーザから所定の更新停止操作を受け付けると（Ｓ１１１）、タッチパネルに表示中の着信画面の自動更新を停止する（Ｓ１１２）。例えば、ユーザは、訪問者を確認しやすい映像が表示された時点で着信画面の自動更新を停止することにより、訪問者の認識精度を向上させることができる。
【００２５】
その後、無線電話端末２は、着信画面の自動更新を停止した状態においてタッチパネルが再度タップされる等、ユーザから所定の更新再開操作を受け付けると（Ｓ１１３）、着信画面の自動更新を再開する（Ｓ１１４）。
【００２６】
つぎに、無線電話端末２は、ユーザから応答操作（オフフック）を受け付けると（Ｓ１１５）、着信鳴動および着信画面表示を終了するとともに（Ｓ１１６）、主装置１に接続応答を送信する（Ｓ１１７）。これを受けて、主装置１は、接続要求の送信元であるカメラ付きドアホン３に接続応答を送信する（Ｓ１１８）。これにより、主装置１を介して接続応答を送信した無線電話端末２とカメラ付きドアホン３との間に通話路が確立される（Ｓ１１９）。
【００２７】
その後、カメラ付きドアホン３は、Ｓ１０５で開始した映像データの送信を一旦終了し（Ｓ１２０）。無線電話端末２は、Ｓ１０６で開始した映像データの受信を一旦終了するとともに、Ｓ１０７〜Ｓ１０９で開始した静止画データのキャプチャ、着信画面データの生成、および電話帳データの更新を終了する（Ｓ１２１）。それから、無線電話端末２とカメラ付きドアホン３との間に確立された通話路を介した通話が開始される（Ｓ１２２）。すなわち、無線電話端末２とカメラ付きドアホン３との間で音声データが送受信されるとともに、カメラ付きドアホン３から無線電話端末２へ訪問者の映像データ（ストリーミングデータ）が送信される。
【００２８】
つぎに、無線電話端末２は、ユーザから切断操作（オンフック）を受け付けると（Ｓ１２３）、主装置１に切断要求を送信する（Ｓ１２４）。これを受けて、主装置１は、切断要求元の無線電話端末２との間に通話路が確立されているカメラ付きドアホン３に切断要求を送信する（Ｓ１２５）。
【００２９】
つぎに、カメラ付きドアホン３は、主装置１を介して無線電話端末２から切断要求を受信すると切断応答を返信する（Ｓ１２６）。この切断応答は、主装置１を介して、切断要求の送信元である無線電話端末２に送信される（Ｓ１２７）。これにより、無線電話端末２とカメラ付きドアホン３との間の通話路が切断され、両者間の通話が終了する（Ｓ１２８）。
【００３０】
その後、無線電話端末２は、カメラ付きドアホン３の内線番号に紐付けられている電話帳データから着信画面データを削除する（Ｓ１２９）。
【００３１】
図４は、本実施の形態に係る内線電話システムにおけるドアホンサービスの第二の動作例を説明するためのシーケンス図である。
【００３２】
まず、図２のＳ１００〜Ｓ１１０が実施され、無線電話端末２は、着信鳴動を開始するとともに、接続要求元であるカメラ付きドアホン３の内線番号に紐付けられている電話帳データから着信画面データを定期的に読み出して、最新の着信画面データに従い着信画面を表示する（Ｓ１４０）。
【００３３】
ここで、無線電話端末２は、ユーザから応答操作（オフフック）を受け付けることなく、所定時間の経過によりタイムアウトしたものとする（Ｓ１４１）。これにより、無線電話端末２は、着信鳴動および着信画面表示を終了して（Ｓ１４２）、接続要求元であるカメラ付きドアホン３の内線番号と、この内線番号に紐付けられている電話帳データに含まれている着信画面データと、訪問日時と、を含む不応答着信履歴データを登録する（Ｓ１４３）。それから、無線電話端末２は、カメラ付きドアホン３の内線番号に紐付けられている電話帳データから着信画面データを削除するとともに（Ｓ１４４）、不応答着信メッセージを表示する等の所定の不応答着信通知を実施する（Ｓ１４５）。
【００３４】
つぎに、無線電話端末２は、不応答着信メッセージを表示中にタッチパネルがタップされる等、ユーザから所定の不応答着信閲覧操作を受け付けると（Ｓ１４６）、登録されている不応答着信履歴データに従い不応答着信履歴を表示する（Ｓ１４７）。具体的には、不応答着信履歴データに含まれている着信画面データが示す訪問者の映像を、不応答着信履歴データに含まれている訪問日時とともに表示する。
【００３５】
つぎに、本実施の形態に係る内線電話システムを構成する主装置１、無線電話端末２、およびカメラ付きドアホン３のうち、無線電話端末２の詳細について説明する。
【００３６】
なお、主装置１は、既存の主装置と同様である。また、カメラ付きドアホン３は、無線電話端末２からの映像要求に従いカメラで撮像した訪問者の映像データ（ストリーミングデータ）を、主装置１を経由することなく直接、無線電話端末２に送信する点を除き、既存のカメラ付きドアホンと同様である。したがって、主装置１およびカメラ付きドアホン３の詳細な説明を省略する。
【００３７】
図５は、無線電話端末２の概略機能構成図である。
【００３８】
図示するように、無線電話端末２は、無線インターフェース部２００と、マンマシンインターフェース部２０１と、呼制御部２０２と、通話処理部２０３と、電話帳データ記憶部２０４と、不応答着信履歴データ記憶部２０５と、映像データ取得部２０６と、着信画面データ生成部２０７と、主制御部２０８と、を有する。
【００３９】
無線インターフェース部２００は、無線アクセスポイント４を介してＬＡＮ ５に接続するためのインターフェースである。
【００４０】
マンマシンインターフェース部２０１は、ユーザが電話および各種操作を行うためのインターフェースであり、図示していないが、例えば、マイクと、スピーカと、カメラと、ダイヤルキー等の操作部を兼ねたタッチパネルディスプレイと、を備える。
【００４１】
呼制御部２０２は、ＳＩＰ（Ｓｅｓｓｉｏｎ  Ｉｎｉｔｉａｔｉｏｎ  Ｐｒｏｔｏｃｏｌ）等の呼制御プロトコルに従い、主装置１経由で通話相手（他の無線電話端末２、カメラ付きドアホン３）と呼制御メッセージをやり取りすることにより、通話路の確立・解放を実施する。
【００４２】
通話処理部２０３は、ＲＴＰ（Ｒｅａｌｔｉｍｅ  Ｔｒａｎｓｐｏｒｔ  Ｐｒｏｔｏｃｏｌ）等の伝送プロトコルに従い、呼制御部２０２によって確立された通話路を介して、通話相手と通話データを送受信する。
【００４３】
具体的には、通話相手が他の無線電話端末２の場合、マンマシンインターフェース部２０１を介してユーザにより入力された音声信号および映像信号を通話データに符号化し、この通話データを通話路経由で通信相手に送信するとともに、通信相手から通話路経由で通話データを受信し、この通話データを音声信号および映像信号に復号してマンマシンインターフェース部２０１から出力する。また、通話相手がカメラ付きドアホン３の場合、マンマシンインターフェース部２０１を介してユーザにより入力された音声信号を通話データに符号化し、この通話データを通話路経由で通信相手に送信するとともに、通信相手から通話路経由で通話データを受信し、この通話データを音声信号および映像信号に復号してマンマシンインターフェース部２０１から出力する。
【００４４】
電話帳データ記憶部２０４には、電話番号毎に電話帳データが記憶されている。
【００４５】
図６は、電話帳データ記憶部２０４の登録内容を模式的に表した図である。
【００４６】
図示するように、電話帳データ記憶部２０４には、電話番号毎に、電話帳データのレコード２０４０が記憶されている。電話帳データのレコード２０４０は、電話番号を登録するフィールド２０４１と、氏名、所属等のユーザ情報を登録するフィールド２０４２と、着信の際に利用する着信画面データ（あるいはその格納場所）を登録するフィールド２０４３と、を有する。なお、電話帳データ記憶部２０４に記憶されている電話帳データのレコード２０４０の一つは、カメラ付きドアホン３に関するものであり、フィールド２０４１にはカメラ付きドアホン３の内線番号が登録され、フィールド２０４２にはカメラ付きドアホン３であることを示す情報が登録される。また、フィールド２０４３には、カメラ付きドアホン３から着信を受けると、その着信画面データ等が登録され（図２のＳ１０９）、カメラ付きドアホン３からの着信に不応答か、あるいはカメラ付きドアホン３との通話が終了すると、その登録内容が削除される（図３のＳ１２９、図４のＳ１４４）。
【００４７】
不応答着信履歴データ記憶部２０５には、不応答の着信毎に不応答着信履歴データが記憶される。
【００４８】
図７は、不応答着信履歴データ記憶部２０５の登録内容を模式的に表した図である。
【００４９】
図示するように、不応答着信履歴データ記憶部２０５には、不応答の着信毎に、不応答着信履歴データのレコード２０５０が記憶されている。不応答着信履歴データのレコード２０５０は、不応答であった着信の発信元の電話番号を登録するフィールド２０５１と、この着信の日時を登録するフィールド２０５２と、不応答であった着信の発信元がカメラ付きドアホン３である場合に、その訪問者の映像データから生成された着信画面データ（あるいはその格納場所）を登録するフィールド２０５３と、を有する。
【００５０】
映像データ取得部２０６は、主装置１からカメラ付きドアホン３を発信元とする着信を受信した場合に、カメラ付きドアホン３から訪問者の映像データ（ストリーミングデータ）を取得する。
【００５１】
着信画面データ生成部２０７は、映像データ取得部２０６により取得された訪問者の映像データに基づいて、定期的に、カメラ付きドアホン３用の着信画面データを生成する。具体的には、訪問者の映像データ（ストリーミングデータ）から定期的に静止画データをキャプチャし、これをカメラ付きドアホン３用の着信画面データとする。
【００５２】
主制御部２０８は、無線電話端末２の各部２００〜２０７を統括的に制御する。また、主制御部２０８は、電話帳データ記憶部２０４に記憶されている電話帳データのレコード２０４０の更新、および、不応答着信履歴データ記憶部２０５への不応答着信履歴データのレコード２０５０の登録を行う。さらに、主制御部２０８は、マンマシンインターフェース部２０１を介してユーザより受け付けた不応答着信閲覧操作に従い、不応答着信履歴データ記憶部２０５に記憶されている不応答着信履歴データのレコード２０５０をマンマシンインターフェース部２０１に表示する。
【００５３】
図８および図９は、無線電話端末２のドアホンサービス処理を説明するためのフロー図である。
【００５４】
このフローは、カメラ付きドアホン３を発信元とする接続応答（着信）を主装置１から受信することにより開始される。
【００５５】
まず、呼制御部２０２は、電話帳データ記憶部２０４を参照して、接続応答の発信者番号がカメラ付きドアホン３の内線番号であることを確認し、その旨を主制御部２０８に知らせる。これを受けて、主制御部２０８は、映像データ取得部２０６に映像データの取得開始を指示する。映像データ取得部２０６は、主制御部２０８の指示に従い、無線インターフェース部２００を介してカメラ付きドアホン３に映像要求を送信し（Ｓ２００）、カメラ付きドアホン３から送られてくる訪問者の映像データ（ストリーミングデータ）の受信を開始する（Ｓ２０１）。
【００５６】
映像データ取得部２０６による訪問者の映像データの受信が開始すると、着信画面データ生成部２０７は、定期的に、この訪問者の映像データから静止画データをキャプチャして、カメラ付きドアホン３用の着信画面データを生成する処理を開始する（Ｓ２０２）。また、着信画面データ生成部２０７によりカメラ付きドアホン３用の着信画面データが生成される毎に、主制御部２０８は、電話帳データ記憶部２０４から、カメラ付きドアホン３の内線番号がフィールド２０４１に登録されている電話帳データのレコード２０４０を検索し、このレコード２０４０のフィールド２０４３に、着信画面データ生成部２０７により生成された最新の着信画面データ（あるいはその格納場所）を登録・更新する処理を開始する（Ｓ２０３）。
【００５７】
その後、主制御部２０８は、呼制御部２０２に着信通知を指示する。これを受けて、呼制御部２０２は、マンマシンインターフェース部２０１から着信鳴動音を出力するとともに、電話帳データ記憶部２０４に記憶されている、カメラ付きドアホン３の内線番号がフィールド２０４１に登録されている電話帳データのレコード２０４０に基づいて、マンマシンインターフェース部２０１に着信画面を表示する（Ｓ２０４）。
【００５８】
図１０は、着信画面の表示例を示す図である。
【００５９】
図示するように、着信画面には、電話帳データ記憶部２０４に記憶されている電話帳データによりカメラ付きドアホン３の内線番号に対応付けられる着信画面データ（フィールド２０４１にカメラ付きドアホン３の内線番号が登録されている電話帳データのレコード２０４０のフィールド２０４３に登録されている着信画面データ、あるいは、このフィールド２０４３に登録されている格納場所に格納された着信画面データ）が表す訪問者の映像２１０が、このレコード２０４０のフィールド２０４２に登録されている、カメラ付きドアホン３であることを示すユーザ情報２１１とともに表示される。また、着信画面には、例えば、応答操作を受け付けるための応答ボタン２１２、着信拒否操作を受け付けるための拒否ボタン２１３が表示されている。
【００６０】
つぎに、呼制御部２０２は、電話帳データ記憶部２０４に記憶されている電話帳データによりカメラ付きドアホン３の内線番号に対応付けられる着信画面データが更新されると（Ｓ２０５でＹＥＳ）、更新された着信画面データに基づいて着信画面を更新する（Ｓ２０６）。
【００６１】
また、呼制御部２０２は、着信画面内の訪問者の映像２１０をタップする等の所定の更新停止操作をマンマシンインターフェース部２０１が受け付けると（Ｓ２０９でＹＥＳ）、着信画面内の訪問者の映像２１０を再度タップする等の所定の更新再開操作をマンマシンインターフェース部２０１が受け付けるまで（Ｓ２１０でＹＥＳ）、電話帳データ記憶部２０４に記憶されている電話帳データによりカメラ付きドアホン３の内線番号に対応付けられる着信画面データの更新にかかわらず、着信画面を固定する。これにより、例えば、訪問者を確認しやすい映像が表示された時点で着信画面の自動更新を停止することにより、訪問者の認識精度を向上させることができる。
【００６２】
また、呼制御部２０２は、着信画面内の応答ボタン２１２をタップする等の所定の応答操作（オフフック操作）をマンマシンインターフェース部２０１が受け付けると（Ｓ２０８またはＳ２１１でＹＥＳ）、マンマシンインターフェース部２０１に対する着信鳴動音の出力および着信画面の表示を終了するとともに（Ｓ２１３）、無線インターフェース部２００を介して主装置１に接続応答を送信する（Ｓ２１４）。これにより、通話相手であるカメラ付きドアホン３との間に通話路が確立される。
【００６３】
それから、呼制御部２０２は、カメラ付きドアホン３からの着信に応答した旨を主制御部２０８に知らせる。これを受けて、主制御部２０８は、映像データ取得部２０６に映像データの取得停止を指示する。これを受けて、映像データ取得部２０６は、カメラ付きドアホン３から送られてくる映像データの受信を終了する。これにより、着信画面データ生成部２０７における静止画データのキャプチャおよびカメラ付きドアホン３用の着信画面データの生成が終了する。また、主制御部２０８による、電話帳データ記憶部２０４に記憶されている電話帳データによりカメラ付きドアホン３の内線番号に対応付けられる着信画面データの更新も終了する（Ｓ２１５）。
【００６４】
つぎに、呼制御部２０２は、通話処理部２０３に、通話相手であるカメラ付きドアホン３との間に確立された通話路を通知して通話の開始を指示する。これにより、通話処理部２０３は、呼制御部２０２より通知された通話路を介して、通話相手であるカメラ付きドアホン３との通話を開始する（Ｓ２１６）。
【００６５】
その後、呼制御部２０２は、マンマシンインターフェース部２０１がユーザから所定の切断操作（オンフック操作）を受け付けると（Ｓ２１７でＹＥＳ）、無線インターフェース部２００を介して主装置１に切断要求を送信する。これにより、通話相手であるカメラ付きドアホン３との間の通話路が切断され、通話処理部２０３によるカメラ付きドアホン３との通話が終了する（Ｓ２１８）。
【００６６】
つぎに、主制御部２０８は、電話帳データ記憶部２０４に記憶されている電話帳データによりカメラ付きドアホン３の内線番号に対応付けられる着信画面データを削除する（Ｓ２１９）。
【００６７】
また、呼制御部２０２は、応答操作、更新停止操作、および更新再開操作のいずれの操作もマンマシンインターフェース部２０１が受け付けることなく（Ｓ２０８、Ｓ２０９でＮＯ、あるいはＳ２１０、Ｓ２１１でＮＯ）、所定時間（例えば１５秒）の経過によりタイムアウトするか、あるいは着信画面内の拒否ボタン２１３をタップする等の所定の着信拒否操作をマンマシンインターフェース部２０１が受け付けると（Ｓ２０７あるいはＳ２１２でＹＥＳ）、マンマシンインターフェース部２０１に対する着信鳴動音の出力および着信画面の表示を終了する（Ｓ２２０）。
【００６８】
それから、呼制御部２０２は、カメラ付きドアホン３からの着信に不応答である旨を主制御部２０８に知らせる。これを受けて、主制御部２０８は、映像データ取得部２０６に映像データの受信終了を指示する。この指示に従い、映像データ取得部２０６は、カメラ付きドアホン３から送られてくる映像データの受信を終了する。これにより、着信画面データ生成部２０７における静止画データのキャプチャおよびカメラ付きドアホン３用の着信画面データの生成が終了する。また、電話帳データ記憶部２０４に記憶されている電話帳データによりカメラ付きドアホン３の内線番号に対応付けられる着信画面データの、主制御部２０８による更新も終了する（Ｓ２２１）。
【００６９】
つぎに、主制御部２０８は、不応答着信履歴データ記憶部２０５に新たな不応答着信履歴データのレコード２０５０を追加し、このレコード２０５０のフィールド２０５１にカメラ付きドアホン３の内線番号を登録し、フィールド２０５２にカメラ付きドアホン３を発信元とする接続要求の着信日時を登録し、そして、フィールド２０５３に、電話帳データ記憶部２０４に記憶されている電話帳データによりカメラ付きドアホン３の内線番号に対応付けられる着信画面データあるいはこの着信画面データの格納場所を登録する（Ｓ２２２）。
【００７０】
それから、主制御部２０８は、電話帳データ記憶部２０４に記憶されている電話帳データによりカメラ付きドアホン３の内線番号に対応付けられる着信画面データを削除するとともに（Ｓ２２３）、不応答着信があることを知らせる不応答着信メッセージをマンマシンインターフェース部２０１に表示する（Ｓ２２４）。なお、この不応答着信メッセージは、Ｓ２２２において不応答着信履歴データ記憶部２０５に追加した不応答着信履歴データのレコード２０５０に紐付けておく。
【００７１】
その後、主制御部２０８は、表示中の不応答着信メッセージをタップする等の所定の不応答着信閲覧操作をマンマシンインターフェース部２０１が受け付けると（Ｓ２２５でＹＥＳ）、この不応答着信メッセージに紐付けられている不応答着信履歴データのレコード２０５０に基づいて、マンマシンインターフェース部２０１に不応答着信履歴を表示する（Ｓ２２６）。
【００７２】
図１１は、不応答着信履歴の表示例を示す図である。
【００７３】
図示するように、不応答着信閲覧操作された不応答着信メッセージに紐付けられている不応答着信履歴データのレコード２０５０のフィールド２０５３に登録されている着信画面データが表す訪問者の映像２２０が、このレコード２０５０のフィールド２０５１、２０５２に登録されている電話番号２２１および着信日時２２２とともに、不応答着信履歴として表示される。ただし、電話番号２２１がフィールド２０４１に登録されている電話帳データのレコード２０４０が電話帳データ記憶部２０４に記憶されている場合は、このレコード２０４０のフィールド２０４２に登録されているユーザ情報（図１１の表示例では、カメラ付きドアホン３であることを示すユーザ情報）が、電話番号２２１の代わりに表示される。
【００７４】
以上、本発明の一実施の形態を説明した。
【００７５】
本実施の形態において、無線電話端末２は、カメラ付きドアホン３からの着信を受信すると、カメラ付きドアホン３の呼び出しボタンを押した訪問者の映像データを取得し、取得した映像データからカメラ付きドアホン３用の着信画面データを生成してカメラ付きドアホン３の内線番号に対応付けて記憶する。それから、無線電話端末２は、カメラ付きドアホン３の内線番号に対応付けられて記憶されている着信画面データに従い着信画面を表示して、カメラ付きドアホン３からの着信を知らせる。このため、本実施の形態によれば、例えばアップル社のオペレーティングシステムであるｉＯＳのＣａｌｌ  Ｋｉｔを利用した電話アプリケーションプログラムにより実現される無線電話端末等の、カメラ付きドアホン３に対応していない無線電話端末２でも、カメラ付きドアホン３からの着信応答前に、カメラ付きドアホン３の呼び出しボタンを押した訪問者の映像を確認することができる。
【００７６】
また、本実施の形態において、無線電話端末２は、ストリーミングデータである訪問者の映像データから静止画データをキャプチャしてカメラ付きドアホン３用の着信画面データを生成し、これをカメラ付きドアホン３の内線番号に対応付けて記憶する。このため、本実施の形態によれば、ストリーミングデータである訪問者の映像データそのものをカメラ付きドアホン３の内線番号に対応付けて記憶する必要がなく、記憶領域の消費を抑制することができる。
【００７７】
また、本実施の形態において、無線電話端末２は、ストリーミングデータである訪問者の映像データから定期的に静止画データをキャプチャし、キャプチャした最新の静止画データをカメラ付きドアホン３用の着信画面データとして、カメラ付きドアホン３の内線番号に対応付けて記憶している着信画面データを更新する。また、カメラ付きドアホン３の内線番号に対応付けて記憶している着信画面データが更新される毎に、更新された着信画面データを読み出して表示中の着信画面を更新する。このため、本実施の形態によれば、着信画面に表示される訪問者の映像が定期的に自動更新されるので、訪問者の認識精度を向上させることができる。
【００７８】
また、本実施の形態において、無線電話端末２は、カメラ付きドアホン３用の着信画面の表示中に、ユーザから更新停止操作を受け付けた場合、表示中の着信画面の自動更新を停止する。このため、例えば訪問者を確認しやすい映像が表示された時点で着信画面の自動更新を停止することにより、訪問者の認識精度をさらに向上させることができる。
【００７９】
また、本実施の形態において、無線電話端末２は、カメラ付きドアホン３からの着信に応答することなく所定時間の経過によりタイムアウトした場合に、カメラ付きドアホン３の内線番号に対応付けられて記憶されている着信画面データを含む不応答着信履歴データを作成して記憶する。そして、ユーザから不応答着信閲覧操作を受け付けた場合に、不応答着信履歴データにより特定される着信画面を含む不応答着信履歴を表示する。このため、本実施の形態によれば、会議等の所用により応答できなかった訪問者を後から映像で確認することができる。
【００８０】
なお、本発明は上記の実施の形態に限定されるものではなく、その要旨の範囲内で数々の変形が可能である。
【００８１】
例えば、上記の実施の形態において、無線電話端末２は、ストリーミングデータである訪問者の映像データから定期的に静止画データをキャプチャして、キャプチャした最新の静止画データをカメラ付きドアホン３用の着信画面データとしている。しかし、本発明はこれに限定されない。ストリーミングデータである訪問者の映像データから定期的に静止画データをキャプチャし、静止画データをキャプチャする毎に、最新の静止画データを含むこれまでにキャプチャした複数の静止画データに基づいてカメラ付きドアホン３用の着信画面データを生成してもよい。
【００８２】
図１２は、着信画面の変形例を示す図である。
【００８３】
図示するように、変形例に係る着信画面には、電話帳データ記憶部２０４に記憶されている電話帳データによりカメラ付きドアホン３の内線番号に対応付けられる着信画面データ（フィールド２０４１にカメラ付きドアホン３の内線番号が登録されている電話帳データのレコード２０４０のフィールド２０４３に登録されている着信画面データ、あるいは、このフィールド２０４３の登録されている格納場所に格納された着信画面データ）が表す映像２１０が表示されており、この映像２１０は、最新の静止画データを含むこれまでにキャプチャした複数の静止画データが表す訪問者の映像２１０−１〜２１０−４で構成されている。ここで、符号２１０−１は、最新のキャプチャされた静止画データが表す訪問者の映像であり、符号２１０−２は、１つ前にキャプチャされた静止画データが表す訪問者の映像であり、符号２１０−３は、２つ前にキャプチャされた静止画データが表す訪問者の映像であり、符号２１０−４は、３つ前にキャプチャされた静止画データが表す訪問者の映像である。このように、直近にキャプチャされた複数の静止画データが表す一連の映像２１０−１〜２１０−４を含む訪問者の映像２１０を確認できるようにすることにより、訪問者の認識精度をさらに向上させることができる。
【００８４】
また、上記の実施の形態において、無線電話端末２は、ストリーミングデータである訪問者の映像データから定期的に静止画データをキャプチャしているが、本発明はこれに限定されない。訪問者の映像データから一度だけキャプチャされた静止画データを継続的に着信画面データとして使用することにより、無線電話端末２における処理負荷を低減するようにしてもよい。
【００８５】
また、上記の実施の形態において、無線電話端末２は、カメラ付きドアホン３を発信元とする接続要求を主装置１から受信した場合に、カメラ付きドアホン３に映像要求を送信することにより、主装置１を経由しないで、カメラ付きドアホン３から訪問者の映像データを取得している。しかしながら、本発明はこれに限定されない。無線電話端末２は、カメラ付きドアホン３で撮影された訪問者の映像データを主装置１経由で取得してもよい。
【００８６】
すなわち、主装置１は、カメラ付きドアホン３から接続要求を受信すると、カメラ付きドアホン３を発信元とする接続要求を無線電話端末２に送信するとともに、カメラ付きドアホン３に映像要求を送信し、カメラ付きドアホン３から訪問者の映像データを受信して無線電話端末２に送信する。これにより、無線電話端末２は、カメラ付きドアホン３を発信元とする接続要求を主装置１から受信すると、続けて、カメラ付きドアホン３で撮影された訪問者の映像データを主装置１から受信する。
【００８７】
ここで、主装置１は、カメラ付きドアホン３から受信した訪問者の映像データ（ストリーミングデータ）から静止画データをキャプチャし、これをカメラ付きドアホン３用の着信画面データとして無線電話端末２に送信してもよい。この場合、無線電話端末２において、着信画面データ生成部２０７は不要である。主制御部２０８は、映像データ取得部２０６により取得されたカメラ付きドアホン３用の着信画面データを、電話帳データ記憶部２０４の電話帳データに記憶されているカメラ付きドアホン３の内線番号に対応付けて記憶（着信画面データあるいはその格納場所を、フィールド２０４１にカメラ付きドアホン３の内線番号が登録されている電話帳データのレコード２０４０のフィールド２０４３に登録）する。
【００８８】
また、ここで、主装置１は、カメラ付きドアホン３から受信した訪問者の映像データから定期的に静止画データをキャプチャして、キャプチャされた最新の静止画データをカメラ付きドアホン３用の着信画面データとして無線電話端末２に送信してもよい。あるいは、主装置１は、カメラ付きドアホン３から受信した訪問者の映像データから定期的に静止画データをキャプチャし、静止画データをキャプチャする毎に、最新の静止画データを含むこれまでにキャプチャした複数の静止画データに基づいてカメラ付きドアホン３用の着信画面データを生成してもよい。これらの場合、映像データ取得部２０６がカメラ付きドアホン３用の着信画面データを受信する都度、主制御部２０８は、電話帳データ記憶部２０４に記憶されている電話帳データによりカメラ付きドアホン３の内線番号に対応付けられる着信画面データ（フィールド２０４１にカメラ付きドアホン３の内線番号が登録されている電話帳データのレコード２０４０のフィールド２０４３に登録されている着信画面データ、あるいは、このフィールド２０４３に登録されている格納場所に格納された着信画面データ）を、新たに受信したカメラ付きドアホン３用の着信画面データに更新する。
【００８９】
また、上記の実施の形態において、図５に示す無線電話端末２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ（Ｃｅｎｔｒａｌ  Ｐｒｏｃｅｓｓｉｎｇ  Ｕｎｉｔ）と、メモリと、ＳＳＤ（Ｓｏｌｉｄ  Ｓｔａｔｅ  Ｄｒｉｖｅ）、フラッシュメモリ等の補助記憶装置、および無線ＬＡＮアダプタ等の無線通信機を備えたスマートホン、タブレットＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【００９０】
また、上記の実施の形態では、主装置１に収容される内線端末として無線電話端末２を例にとり説明したが、内線端末は無線電話端末に限らず、電話番号と映像データとを対応付けて登録可能なアドレス帳機能と、アドレス帳に登録された電話番号からの着信を、映像データを含む着信通知画面の表示で通知する着信通知機能とを有する通話アプリケーションがインストールされた固定端末でもよい。
【符号の説明】
【００９１】
１：主装置    ２、２−１〜２−３：無線電話端末  ３：カメラ付きドアホン
４：無線アクセスポイント    ５：ＬＡＮ    ６：ＷＡＮ
２００：無線インターフェース部    ２０１：マンマシンインターフェース部
２０２：呼制御部    ２０３：通話処理部    ２０４：電話帳データ記憶部
２０５：不応答着信履歴データ記憶部    ２０６：映像データ取得部
２０７：着信画面データ生成部    ２０８：主制御部
【図１】
2020205486.tif 000003
【図２】
2020205486.tif 000004
【図３】
2020205486.tif 000005
【図４】
2020205486.tif 000006
【図５】
2020205486.tif 000007
【図６】
2020205486.tif 000008
【図７】
2020205486.tif 000009
【図８】
2020205486.tif 000010
【図９】
2020205486.tif 000011
【図１０】
2020205486.tif 000012
【図１１】
2020205486.tif 000013
【図１２】
2020205486.tif 000014
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
カメラ付きドアホンを収容する主装置に収容されて、内線端末として機能する電話端末であって、
前記カメラ付きドアホンを発信元とする着信を前記主装置から受信した場合に、当該カメラ付きドアホンが撮像している訪問者の映像データを取得する映像データ取得手段と、
前記映像データ取得手段により取得された前記訪問者の映像データを、着信画面データとして、前記カメラ付きドアホンの番号情報に対応付けて記憶する着信画面データ記憶手段と、
前記主装置から着信を受信した場合に、当該着信の発信元の番号情報に対応付けられて前記着信画面データ記憶手段に記憶されている前記着信画面データを読み出し、当該読み出した前記着信画面データに従い着信画面を表示して、当該着信を知らせる着信表示手段と、を備える
ことを特徴とする電話端末。
【請求項２】
請求項１に記載の電話端末であって、
前記映像データ取得手段により取得された前記訪問者の映像データから前記着信画面データを生成する着信画面データ生成手段をさらに備え、
前記着信画面データ記憶手段は、
前記着信画面データ生成手段により生成された前記着信画面データを、前記カメラ付きドアホンの番号情報に対応付けて記憶する
ことを特徴とする電話端末。
【請求項３】
請求項２に記載の電話端末であって、
前記訪問者の映像データは、ストリーミングデータであり、
前記着信画面データ生成手段は、
前記映像データ取得手段により取得された前記訪問者の映像データから静止画データをキャプチャして、前記着信画面データを生成する
ことを特徴とする電話端末。
【請求項４】
請求項３に記載の電話端末であって、
前記着信画面データ生成手段は、
定期的に、前記映像データ取得手段により取得された前記訪問者の映像データから静止画データをキャプチャして、当該キャプチャした最新の前記静止画データを前記着信画面データとし、
前記着信画面データ記憶手段は、
前記着信画面データ生成手段によって前記着信画面データが生成される毎に、前記カメラ付きドアホンの番号情報に対応付けられて記憶されている前記着信画面データを、前記着信画面データ生成手段によって生成された最新の前記静止画データに更新し、
前記着信表示手段は、
前記主装置から着信を受信した場合に、当該着信の発信元の番号情報に対応付けられて前記着信画面データ記憶手段に記憶されている前記着信画面データが更新される毎に、当該着信画面データを読み出して表示中の前記着信画面を更新する
ことを特徴とする電話端末。
【請求項５】
請求項３に記載の電話端末であって、
前記着信画面データ生成手段は、
定期的に、前記映像データ取得手段により取得された前記訪問者の映像データから静止画データをキャプチャするとともに、これまでにキャプチャした複数の前記静止画データに基づいて、前記着信画面データを生成し、
前記着信画面データ記憶手段は、
前記着信画面データ生成手段によって前記着信画面データが生成される毎に、前記カメラ付きドアホンの番号情報に対応付けられて記憶されている前記着信画面データを、前記着信画面データ生成手段によって生成された最新の前記静止画データに更新し、
前記着信表示手段は、
前記主装置から着信を受信した場合に、当該着信の発信元の番号情報に対応付けられて前記着信画面データ記憶手段に記憶されている前記着信画面データが更新される毎に、当該着信画面データを読み出して表示中の前記着信画面を更新する
ことを特徴とする電話端末。
【請求項６】
請求項４または５に記載の電話端末であって、
前記着信表示手段は、
ユーザから所定の操作を受け付けた場合に、表示中の前記着信画面の更新を停止する
ことを特徴とする電話端末。
【請求項７】
請求項１ないし６のいずれか一項に記載の電話端末であって、
前記着信画面データ記憶手段は、
前記カメラ付きドアホンからの着信通知に応答して開始された前記カメラ付きドアホンとの通話が終了した場合、あるいは、前記カメラ付きドアホンからの着信通知に応答することなく所定時間を経過した場合に、前記カメラ付きドアホンの番号情報に対応付けて記憶している前記着信画面データを消去する
ことを特徴とする電話端末。
【請求項８】
請求項１ないし７のいずれか一項に記載の電話端末であって、
前記カメラ付きドアホンからの着信通知に応答することなく所定時間を経過した場合に、前記カメラ付きドアホンの番号情報に対応付けられて前記着信画面データ記憶手段に記憶されている前記着信画面データを含む訪問者情報を記憶する訪問者情報記憶手段と、
ユーザから受け付けた指示に従い、前記訪問者情報記憶手段に記憶されている前記訪問者情報に含まれている前記着信画面データにより特定される前記着信画面を含む訪問者情報を表示する訪問者情報表示手段と、をさらに備える
ことを特徴とする電話端末。
【請求項９】
請求項１に記載に記載の電話端末と、
前記電話端末およびカメラ付きドアホンを収容する主装置と、を有し、
前記主装置は、
前記カメラ付きドアホンから着信を受信した場合に、当該着信を前記電話端末に送信するドアホン着信通知手段と、
前記カメラ付きドアホンから着信を受信した場合に、当該カメラ付きドアホンから撮像中の訪問者の映像データを取得して、前記電話端末に送信するドアホン映像送信手段と、を備える
ことを特徴とする内線電話システム。
【請求項１０】
請求項９に記載の内線電話システムであって、
前記訪問者の映像データは、ストリーミングデータであり、
前記ドアホン映像送信手段は、
定期的に、前記カメラ付きドアホンから取得した前記訪問者の映像データから静止画データをキャプチャして、当該キャプチャした最新の前記静止画データを前記着信画面データとして前記電話端末に送信し、
前記映像データ取得手段は、
前記訪問者の映像データに代えて前記着信画面データを取得し、
前記着信画面データ記憶手段は、
前記映像データ取得手段によって前記着信画面データが取得される毎に、前記カメラ付きドアホンの番号情報に対応付けられて記憶されている前記着信画面データを最新の前記着信画面データに更新し、
前記着信表示手段は、
前記主装置から着信を受信した場合に、当該着信の発信元の番号情報に対応付けられて前記着信画面データ記憶手段に記憶されている前記着信画面データが更新される毎に、当該着信画面データを読み出して表示中の前記着信画面を更新する
ことを特徴とする内線電話システム。
【請求項１１】
請求項９に記載の内線電話システムであって、
前記訪問者の映像データは、ストリーミングデータであり、
前記ドアホン映像送信手段は、
定期的に、前記カメラ付きドアホンから取得した前記訪問者の映像データから静止画データをキャプチャするとともに、これまでにキャプチャした複数の前記静止画データに基づいて、前記着信画面データを生成して送信し、
前記映像データ取得手段は、
前記訪問者の映像データに代えて前記着信画面データを取得し、
前記着信画面データ記憶手段は、
前記映像データ取得手段によって前記着信画面データが取得される毎に、前記カメラ付きドアホンの番号情報に対応付けられて記憶されている前記着信画面データを、最新の前記着信画面データに更新し、
前記着信表示手段は、
前記主装置から着信を受信した場合に、当該着信の発信元の番号情報に対応付けられて前記着信画面データ記憶手段に記憶されている前記着信画面データが更新される毎に、当該着信画面データを読み出して表示中の前記着信画面を更新する
ことを特徴とする内線電話システム。
【請求項１２】
コンピュータで読み取り可能なプログラムであって、
前記プログラムは、
前記コンピュータを、カメラ付きドアホンを収容する主装置に収容されて、内線端末として機能する電話端末として機能させ、
前記電話端末は、
前記主装置から前記カメラ付きドアホンを発信元とする着信を受信した場合に、当該カメラ付きドアホンが撮像している訪問者の映像データを取得する映像データ取得手段と、
前記映像データ取得手段により取得された前記訪問者の映像データを、着信画面データとして、前記カメラ付きドアホンの番号情報に対応付けて記憶する着信画面データ記憶手段と、
前記主装置から着信を受信した場合に、当該着信の発信元の番号情報に対応付けられて前記着信画面データ記憶手段に記憶されている前記着信画面データを読み出し、当該読み出した前記着信画面データに従い着信画面を表示して、当該着信を知らせる着信表示手段と、を備える
ことを特徴とするコンピュータで読み取り可能なプログラム。
【請求項１３】
電話端末におけるカメラ付きドアホンからの着信通知方法であって、
前記電話端末は、
当該電話端末および前記カメラ付きドアホンを収容する主装置から前記カメラ付きドアホンを発信元とする着信を受信した場合に、
当該カメラ付きドアホンが撮像している訪問者の映像データを取得して、当該訪問者の映像データを、着信画面データとして、前記カメラ付きドアホンの番号情報に対応付けて記憶し、
当該着信の発信元である前記カメラ付きドアホンの番号情報に対応付けられて記憶されている前記着信画面データを読み出し、当該読み出した前記着信画面データに従い着信画面を表示して、当該着信を知らせる
ことを特徴とするカメラ付きドアホンからの着信通知方法。